(57)【特許請求の範囲】
【請求項１】
主軸の回転運動を揺動運動に変換する伝達部材と、機枠に回動可能に支持されるとともに、前記伝達部材により揺動するメス駆動軸と、一端側が前記メス駆動軸に回動可能に支持され、他端側に布切りメスが装着されたメス揺動腕と、前記メス駆動軸と前記メス揺動腕とを連結・解除可能な連結・解除部材と、前記連結・解除部材を移動させる操作レバーとを備えた布切りメス駆動装置において、前記操作レバーは、前記メス揺動腕に沿って進退可能で、且つメス装着側に向けて移動する際、連結状態が解除されることを特徴とする布切りメス駆動装置。
【請求項２】
請求項１記載の布切りメス駆動装置において、前記操作レバーが連結解除位置にある時、この状態を保持する係止部材が機枠に固定されていることを特徴とする布切りメス駆動装置。
【請求項３】
請求項１、２記載の布切りメス駆動装置において、前記連結・解除部材が連結可能な位置を規定する位置決め部材を備えることを特徴とする布切りメス駆動装置。
【発明の詳細な説明】
【０００１】
【発明の属する技術分野】
本発明は布切りメス駆動装置に関する。
【０００２】
【従来の技術】
縁かがり縫いと、偏平縫い等の縁かがり縫い以外の縫いを行うことが可能なミシンは従来から公知である。このようなミシンにおいては、上下方向に揺動可能な上メス揺動腕に支持された上メスと、ミシンフレームに固定された下メスを用い、縁かがり縫いの場合、上メスを揺動させて下メスと摺動させることにより布を切断しながら縫製を行う。
【０００３】
このような布切断を伴う縁かがり縫いと、布切断を伴わない偏平縫い等の双方の縫いが可能なミシンを用いる場合、布切断を伴わない縫いをする際には上メスによる布切断を不作用にする必要がある。
このため上メスを、下メスと作用する作用位置と上メスから離隔する不作用位置に回転可能として上メス揺動腕に支持し、布切断を伴わない縫いをする際には上メスを不作用位置に回転操作して係止している。
【０００４】
ところが、上メス揺動腕はミシン主軸に連動して揺動するため、上メスを不作用位置に移動してもミシン運転時には、上メス揺動腕自体は揺動している。この状態では、ミシンテーブル上で作業を行う際に危険であると共に上メス揺動腕が邪魔になって作業空間が狭くなる。
そこで、特開平７−１６３７４号や特許第２８７５７１０号に開示されているように、布切断を伴わない縫いを行う際に上メス揺動腕自体の揺動を停止させるための上メスリリース装置が開発されている。これらの上メスリリース装置においては、上メス揺動腕とミシン主軸との連結を解除することにより上メス揺動腕の揺動を停止する。
【０００５】
【発明が解決しようとする課題】
しかしながら特開平７−１６３７４号に開示されている装置は、ミシン主軸と上メス揺動腕との連結を解除するための部材が多いため、上メス部でのガタが大きくなる上、コスト的に高価となる。
【０００６】
一方、特許第２８７５７１０号に開示されている装置は、主軸の回転運動を揺動運動に変換する上メス駆動腕と、ミシン機枠に回動可能に支持されると共に、上メス駆動腕により揺動する上メス駆動軸と、一端側がメス駆動軸に回動可能に支持され他端側に上メスが装着された上メス揺動腕とを備えている。そして、一端側が上メス駆動軸に回動可能に支持された上メス駆動板の他端側に先端穴部が形成されている。この上メス駆動板の一端側は上メス駆動腕に固定されている。従って、主軸が回転すると、上メス駆動腕及び上メス駆動板は上メス駆動軸の回りに回動し、上メス駆動板の他端側は上下に揺動する。
【０００７】
上メス揺動腕の他端側には連結ピンが連結ピン締めねじにより支持されており、この連結ピンが上メス駆動板の先端穴部内に嵌合している。従って、上メス駆動板が回動してその他端側が上下に揺動すると上メス揺動腕も上メス駆動軸を中心として回動し、上メスが上下に揺動する。このようにして上メス駆動軸とメス揺動腕とが連結されている。上メスリリース時には、連結ピン締めねじをゆるめて連結ピンと上メス駆動板の先端穴との嵌合を外すことにより、上メス駆動軸と上メス揺動腕との連結を解除する。
【０００８】
この装置の場合、上メス駆動板がミシンフレーム内の前方部分に配置されており、しかもミシンフレーム内に備えられた他の部品よりもミシン前方に張り出す形状の部材であるため、ミシンフレーム前部に取り付けられるケース（カバー）に開口部を設けて上メス駆動板をその開口部からケース外部に張り出させるか、或いはケース自体に前方への拡大部を設けてその拡大部内に上メス駆動板が納まるようにする必要がある。
【０００９】
ケースに開口部を設ける場合には、揺動運動をする上メス駆動板がその開口部から露出し、危険となるため、その上メス駆動板をカバーする構造が更に必要になってくるという問題点があった。ケースに拡大部を設ける場合、上メス駆動板をカバーする構造を設ける場合のいずれも、デザイン上好ましくなかった。
更に、上メス駆動板と上メス揺動腕との連結を解除するための連結ピンがケースを貫通して配置されているため、ケースに開口が必要となっていた。
【００１０】
本発明の目的は、少ない部品点数にて上メス揺動腕とミシン主軸との連結を解除することができる布切りメス駆動装置を提供することにある。
本発明の他の目的は、ミシンケースの外観に悪影響を及ぼさない構造の布切りメス駆動装置を提供することにある。
本発明の更に他の目的は、操作性の優れた布切りメス駆動装置を提供することにある。
【００１３】
【課題を解決するための手段】
上記目的を達成するため本発明によれば、主軸の回転運動を揺動運動に変換する伝達部材と、機枠に回動可能に支持されるとともに、前記伝達部材により揺動するメス駆動軸と、一端側が前記メス駆動軸に回動可能に支持され、他端側に布切りメスが装着されたメス揺動腕と、前記メス駆動軸と前記メス揺動腕とを連結・解除可能な連結・解除部材と、前記連結・解除部材を移動させる操作レバーとを備えた布切りメス駆動装置において、前記操作レバーは、前記メス揺動腕に沿って進退可能で、且つメス装着側に向けて移動する際、連結状態が解除される構造とすることができる。
【００１４】
前記操作レバーが連結解除位置にある時、この状態を保持する係止部材が機枠に固定されていることが望ましい。
前記連結・解除部材が連結可能な位置を規定する位置決め部材を備えることが好ましい。
また、前記メス揺動腕を前記メス駆動軸に装着して、支持する固定部材を備えることができる。
【００１５】
【発明の実施の形態】
以下、図１〜図７に基づいて本発明の実施の形態を説明する。
本実施の形態による布切りメス駆動装置が組み込まれるミシンは縁かがり縫いと偏平縫いの可能なミシンであり、針板１の上方に針留め２、押え３及び針４を備える。布切りメス駆動装置はミシン駆動により揺動する上メス揺動腕（メス揺動腕）６と、この上メス揺動腕６に止めねじ７で支持される上メス５を備える。正面カバー９、後ろカバー１０がミシンフレームを覆っている。また、ルーパーカバー８は、閉じた状態では図１に示すように上メス揺動腕６の前面を覆うように構成される。
【００１６】
図２はルーパーカバー８を開いた状態を示した図である。上メス５は下メス１１と噛み合っており、布を切断可能とする。上メス５は上メス揺動腕６に設けられた上メス回転操作部６ａを回転することにより上メス揺動腕６に対して回動可能となっている。上メス揺動腕６上部にはリリースレバー（操作レバー）１５が組み込まれている。また、正面カバー９の所定の位置へストッパーばね（係止部材）１２が組み付けられる。なお、縫い目を構成するための上ルーパー１３、下ルーパー１４が図示のように組み付けられている。
【００１７】
図３及び図４は布切りメス駆動装置の主要部の構成を示す。図示しないミシンモータにより回転駆動される主軸１６に上メス駆動カム（伝達部材）１７が組み付けられる。この上メス駆動カム１７に上メス駆動腕（伝達部材）１８の下端が嵌合する。これら上メス駆動カム１７と上メス駆動腕１８は、主軸１６の回転運動を揺動運動に変換する伝達部材を構成する。ミシンフレーム２０にはメタル２１が組み込まれ、上メス駆動軸（メス駆動軸）１９が、このメタル２１内に嵌合することによりミシンフレーム２０に対して回動可能に支持されている。メタル２１の一方（図３（Ａ）の下方）側において、上メス駆動軸１９には上メス駆動腕１８の上端、上メス揺動腕６の一端（図３の左端）、座金２３、止めＥリング２４がこの順で組み込まれている。上メス揺動腕６は上メス駆動軸１９に対して回動可能に支持されるが、上メス駆動腕１８は止めねじ３２で上メス駆動軸１９に固定される。
【００１８】
メタル２１の他方（図３（Ａ）の上方）側において、上メス駆動軸１９にはスラストカラー２２がねじ止めされている。上メス揺動腕６の上部にはリリースレバー１５がガイドピン２８および押えばね２５で図３の左右方向へスライド可能に組み付けられている。押えばね２５はねじ２６で固定されている。一方上メス揺動腕６の他端（図３の右端）には上メス回転操作部６ａを固定した回転軸６ｂが回転可能に取り付けられ、この回転軸６ｂに上メス５が止めねじ７によって固定されている。また、上メス揺動腕６の一端側に止めピン２７が打ち込まれて固定されているが、この止めピン（位置決め部材）２７は、上メス駆動腕１８の受け部（位置決め部材）１８ａと当接することにより、上メス揺動腕６のＣ２方向への揺動運動の位置決めの役割を果たす。
【００１９】
図４に示すように、リリースレバー１５には、摘み部１５ａと、長穴１５ｂと、耳部１５ｃが設けられている。上メス揺動腕６の内部にはピン嵌合溝６ｃが設けられ、このピン嵌合溝６ｃへリリースピン２９が挿入されて長手方向へ摺動可能とされる。リリースピン２９は先端部２９ａが尖っており、その先端部２９ａは上メス駆動軸１９の穴１９ａと嵌合可能である。また、リリースピン２９の平部２９ｂへ、リリースレバー１５が、その耳部１５ｃへ取り付けられるカラー３０と共にねじ３１で止められている。上メス揺動腕６には、ピン嵌合溝６ｃと連続して凹部６ｄが設けられている。この凹部６ｄからリリースピン２９をピン嵌合溝６ｃに挿入し、リリースレバー１５にカラー３０及びねじ３１を取り付けた上、ねじ３１をリリースピン２９の平部２９ｂに当接し、次いでガイドピン２８をリリースレバー１５の長穴１５a及び上メス揺動腕６のガイドピン穴６ｅ内に挿入する。このようにしてセットされたリリースレバー１５の摘み部１５ａを操作してリリースレバー１５を図の矢印方向に移動すると、リリースピン２９も同じ方向に移動し、上メス駆動軸１９の穴１９ａと嵌合し、或いは嵌合が外される。このリリースピン２９と穴１９ａは上メス駆動軸１９と上メス揺動腕６とを連結・解除可能な連結・解除部材を構成する。上メス揺動腕６の内部に連結・解除部材を設けたことから、従来例のようにミシンのケースに開口を設ける必要がない。
【００２０】
次に以上の構成を有する布切りメス駆動装置の動作を説明する。先ず、リリースピン２９と上メス駆動軸１９が嵌合している状態での動作を説明すると、図示しないミシンモータを起動することにより、主軸１６は、図３（Ｂ）及び図４に示す矢印Ａ方向へ回転する。主軸１６が回転すると、上メス駆動カム１７も回転し、この上メス駆動カム１７に嵌合している上メス駆動腕１８は、上メス駆動軸１９を支点に図３（Ｂ）の矢印Ｂ１，Ｂ２方向に揺動する。上メス駆動腕１８は止めねじ３２で上メス駆動軸１９に固定されているので、上メス駆動軸１９も揺動する。リリースピン２９と上メス駆動軸１９は嵌合しているので、上メス揺動腕６も上メス駆動軸１９と共に揺動し、その先端が図３（Ｂ）のＣ１，Ｃ２方向に移動する。この結果、上メス揺動腕６の端部に固定されている上メス５も上下に動くので、布を切断可能となる。
【００２１】
図５はこのようにして布を切断可能となったミシンの運転時を示し、縁かがり縫いを行っている状態を示す。上メス揺動腕６に支持された上メス５は上下に揺動して布を切断する。
【００２２】
布の切断が不要の場合、図６に示すように、上メス回転操作部６ａを回転させることにより上メス５を不作用位置（下メスと摺動しない位置）へ移動する。この場合、上メス５と下メスの噛み合いは解除されるが、上メス揺動腕６は駆動が連結されたままであり、常に揺動している。この揺動を停止するために、本実施の形態によるリリースレバー１５を操作する。
【００２３】
すなわち、偏平縫いの場合には、図７で示すように、リリースレバー１５をＨ方向へ引くと、リリースレバー１５に連結されるリリースピン２９と上メス駆動軸１９の嵌合が解除されるので上メス駆動腕１８と上メス揺動腕６との連結が解除される。従って主軸１６が回転しても、その駆動は上メス揺動腕６へ伝達されない。また、上メス揺動腕６も上メス駆動軸１９から解除されることで、手で回動可能となり、リリースレバー１５をＨ方向へ引いた状態でＩ方向へ退避可能となる。上メス揺動腕６を図７（Ｂ）のＩ方向へ持ち上げると、正面カバー９の所定の場所へ取付けられたストッパーばね１２にてリリースレバー１５の摘み部１５ａが係止され、その状態のまま保持される。
【００２４】
上メス５を駆動させたい場合には、上記とは逆の操作を行う。先ず上メス揺動腕６を押し下げると、上メス揺動腕６に打ち込まれた止めピン２７が上メス駆動腕１８の受け部１８ａで止まり、ここでリリースレバー１５を図７のＨ方向とは逆方向へ押すことで、上メス駆動部との係合が可能となる。ついで上メス回転操作部６ａを回転させて上メス５を作用位置へ移動する。上メス駆動腕１８の受け部１８ａ及び止めピン２７は、リリースピン２９が上メス駆動軸１９の穴１９ａ内に嵌合することにより上メス駆動軸１９と上メス揺動腕６を連結可能な位置に位置決めする位置決め部材を構成する。
【００２５】
このように本実施の形態においては、リリースレバー１５を上メス揺動腕６に沿って進退可能で、且つ上メス５が装着されている側に向けて移動する際上メス駆動軸１９と上メス揺動腕６との連結状態が解除される。リリースレバー１５を押すだけで連結状態とすることができ、また、引くだけで連結状態を解除できるので操作性に優れている。これに加えて、上メス５を不作用位置へ回転移動させる操作と、リリースレバー１５の操作をいずれも上メス５の近くにて行うことと、リリースレバー１５が連結解除位置にあるとき、この状態を保持するストッパーばね１２が正面カバー９に取り付けられていることから、本実施の形態によるリリースレバー１５は非常に操作性に優れている。
【００２６】
なお、上メス５を用いない縫製の際に、上メス駆動軸１９から座金２３及び止めＥリング２４を取り外して、上メス揺動腕６自体を上メス駆動軸１９から取り外すこともできる。この場合、安全確実に上メスを不作用にすることが可能となる上、ミシンテーブル上の作業空間が更に広くなる。
【００２７】
以上本発明を図面に示した実施の形態に基づいて説明したが、本発明はこれには限定されず、種々変更可能である。
【００２８】
例えば、上メス揺動腕６の内側へ嵌合されたリリースピン２９の先端部２９ａを上メス駆動軸１９の穴１９ａと嵌合可能として、上メス駆動軸１９と上メス揺動腕６とを連結・解除可能としたが、上メス駆動軸１９と上メス揺動腕６との嵌合を連結・解除する手段であればどのような構成でも良い。その例としては、角ゴマと角穴の組み合せ、或いは、上メス駆動軸１９側にリリースピンを取り付け、上メス揺動腕６側にこのリリースピン２９と嵌合可能な穴を設ける例等が考えられる。
【００２９】
また、上メス揺動腕（メス揺動腕）６は座金（固定部材）２３及び止めＥリング（固定部材）２４により上メス駆動軸１９に装着、支持されている例を示したが、これら座金２３及び止めＥリング２４を廃止して、上メス揺動腕６を上メス駆動軸１９から容易に取り外し可能な構成とすることにより、上メス５を使用しない縫いを行う際に上メス揺動腕６自体を上メス駆動軸１９から取り外すことができる。
【００３０】
【発明の効果】
本発明の布メス駆動装置によれば、主軸の回転運動を揺動運動に変換する伝達部材と、機枠に回動可能に支持されるとともに、前記伝達部材により揺動するメス駆動軸と、一端側が前記メス駆動軸に回動可能に支持され、他端側に布切りメスが装着されたメス揺動腕と、前記メス駆動軸と前記メス揺動腕とを連結・解除可能な連結・解除部材とを備えた構成としたので、部品点数を削減することが可能となった。従って、上メスのガタを少なくすることが出来ると共に、コストを低減することができる。また、ミシンフレームの前方に張り出すような構造の部品を用いることがないのでケースに拡大部を設ける必要がなく、ミシンの外形をデザイン上好ましいものとすることができる。
【００３１】
前記連結・解除部材はピンとそれに嵌合する穴より構成されるとともに、前記連結・解除部材を移動させる操作レバーを備えている構成とすることにより、連結・解除の際の操作性に優れた布メス駆動装置を提供することができた。
【００３２】
前記連結・解除部材は前記上メス揺動腕の内部に配置される構成とした場合には、連結・解除部材を露出することがないのでカバーの必要もなく、又、ミシンの外観をデザイン的に優れたものとすることができる。
【００３３】
前記操作レバーは、前記メス揺動腕に沿って進退可能で、且つメス装着側に向けて移動する際連結状態が解除される構成とした場合には、操作レバーを進退するだけで連結状態としたり連結状態を解除できるので操作性に優れている。また、布切りメス自体の不作用位置、作用位置間の回転操作と操作レバーの操作をいずれも上メスの近くにて行うことができるので、操作性に優れた布メス駆動装置を得ることができた。
【００３４】
前記操作レバーが連結解除位置にある時、この状態を保持する係止部材が機枠に固定されている構成とした場合には、更に操作性が向上する。
【００３５】
前記連結・解除部材が連結可能な位置を規定する位置決め部材を備える構成とした場合には、連結・解除部材を連結させる際の操作性が向上する。
【００３６】
前記メス揺動腕を前記メス駆動軸に装着して、支持する固定部材を備える構成とした場合には、メス揺動腕ごとメス駆動軸へ装着し或いは取り外すことにより、上メスを除去することができるので安全性が確実になる上、ミシンテーブル上の作業空間が更に広くなる。
【図面の簡単な説明】
【図１】  本発明による布切りメス駆動装置の実施の形態を組み込んだミシンのルーパーカバーを閉じた状態を示した斜視図である。
【図２】  図１のミシンのルーパーカバーを開いた状態を示した図である。
【図３】  本実施の形態による布切りメス駆動装置のメス駆動軸とメス揺動腕とが連結した状態を示す図である。
【図４】  本実施の形態による布切りメス駆動装置の主要部の分解斜視図を示す図である。
【図５】  図１のミシンが縁かがり縫いを行っている状態を示す図である。
【図６】  本実施の形態による布切りメス駆動装置の上メスを不作用位置に回動した状態を示す図である。
【図７】  本実施の形態による布切りメス駆動装置のメス駆動軸とメス揺動腕との連結を解除した状態を示す図である。
【符号の説明】
６  上メス揺動腕（メス揺動腕）
１２  ストッパーばね（係止部材）
１５  リリースレバー（操作レバー）
１６  主軸
１７，１８  伝達部材
１８ａ，２７  位置決め部材
１９  上メス駆動軸（メス駆動軸）
１９ａ，２９  連結・解除部材
２３，２４  固定部材
【図１】
0004799760.tif 000002
【図２】
0004799760.tif 000003
【図３】
0004799760.tif 000004
【図４】
0004799760.tif 000005
【図５】
0004799760.tif 000006
【図６】
0004799760.tif 000007
【図７】
0004799760.tif 000008